(57)【特許請求の範囲】
【請求項１】
管体よりなる手掛け部を有する梯子本体と、当該梯子本体の手掛け部の上端に嵌合する取っ手とからなる冷却塔等の外梯子であって、冷却塔等の外側壁面に前記梯子本体を固着する固定アングルと、前記取っ手に固着する接合アングルとの間を締結して、梯子本体と取っ手間を着脱可能に固定するようになしたことを特徴とする冷却塔等の外梯子。
【請求項２】
円管状の手掛け部を有する梯子本体に、当該手掛け部の内径に略符合する外径を有する取っ手を嵌合して、梯子本体の固定アングルと取っ手の接合アングル間を着脱可能に締結するようになしたことを特徴とする請求項１記載の冷却塔等の外梯子。
【請求項３】
請求項１又は２に記載の外梯子を備えた冷却塔であって、冷却塔の外側壁面に、塔本体部の高さに収まるように梯子本体を固着し、この梯子本体の上方に、別体の取っ手を固定し得るように構成されたことを特徴とする冷却塔。
【発明の詳細な説明】
【０００１】
【発明の属する技術分野】
本発明は冷却塔等の外梯子に関し、特に、冷却塔等をその据付け現場まで搬送するに際して嵩張りを少なくし得ると共に、組立て作業を簡略化し、安全面を配慮した冷却塔等の外梯子及び冷却塔に関するものである。
【０００２】
【従来技術とその課題】
近年、冷却塔或いは大型タンク等の可搬装置の据付け工期を短縮するために、完成品又は半完成品の形態で冷却塔等を工場出荷して納入する場合が多くなってきている。
特に、例えば大型の冷却塔を半完成品の形態で納入する場合、主として輸送トラックの高さ制限を超える虞れがあるので、必然的に冷却塔を塔本体部と駆動部とに二分割すると共に外梯子を取外した状態で輸送し、据付け現場で組立てることが行なわれている。
【０００３】
据付け現場で冷却塔への外梯子の取付けは、通常二人でペアを組み行なっているのが実状である。出荷前に工場等で二人作業により冷却塔に外梯子を取付ける場合には人件費は比較的少なくて済むが、据付け現場において冷却塔への外梯子の取付け作業を二人で行なうと人件費の高騰を招くこととなる。
そこで、冷却塔を半完成品の形態で納入する場合には、据付け現場における外梯子の取付け作業を一人で行なえるようにしてコストカットすることが課題となる。
【０００４】
【発明が解決しようとする課題】
本発明は、上述の課題を解決すべく為されたものであって、冷却塔等の輸送中の嵩張りを少なくすると共に、塔本体部から突出する外梯子の取っ手を、梯子本体に簡単且つ着脱可能に取付け得るようにして、据付け現場における取付け工数の削減を図った冷却塔等の外梯子及び冷却塔を提供せんとするものである。
【０００５】
【課題を解決するための手段】
本発明は上記課題を解決するためのものであって、その要旨は、管体よりなる手掛け部を有する梯子本体と、当該梯子本体の手掛け部に嵌合する取っ手とからなる冷却塔等の外梯子であって、冷却塔の外側壁面に前記梯子本体を固着する固定アングルと、前記取っ手に固着する接合アングルとの間を締結して、梯子本体と取っ手間を着脱可能に固定するようになしたことを特徴とする冷却塔等の外梯子である。
また、前記構成の外梯子を備えた冷却塔であって、冷却塔の外側壁面に、塔本体部の高さに収まるように梯子本体を固着し、この梯子本体の上方に、別体の取っ手を固定し得るようになしたことを特徴とする冷却塔である。
【０００６】
【発明の実施の形態】
以下、本発明の実施例を図面に基づき具体的に説明する。
図１は本発明の冷却塔の外梯子を示す展開斜視図、図２は本発明の一実施例であって、梯子本体と取っ手との嵌合形態を示す透視側面図、図３は本発明の他の実施例であって、梯子本体と取っ手との嵌合形態を示す透視側面図、図４は本発明で用いる取っ手の折曲角度を示す投影図、図５は塔本体部に梯子本体を取付けた状態を示す側面図、図６は本発明品を取付けて完成した冷却塔を示す側面図である。
【０００７】
本発明は、図示したように、円管状の管体よりなる手掛け部２１１を有する梯子本体２１と、この梯子本体２１の手掛け部２１１に嵌合する取っ手２３とからなる冷却塔１等の外梯子２であって、冷却塔１等の外側壁面１１１に上記梯子本体２１を固着する固定アングル２２と、上記取っ手２３に固着する接合アングル２３２との間を締結して、梯子本体２１と取っ手２３間を着脱可能に固定するようになしたことを特徴とする。
【０００８】
特に、図３に示すように、円管状の手掛け部２１１を有する梯子本体２１に、この手掛け部２１１の内径ｄ1に略符合する外径ｄ′2を有する取っ手２３を嵌合し、梯子本体２１の固定アングル２２と取っ手２３の接合アングル２３２間を着脱可能に締結するようになしたことを特徴とするものである。
【０００９】
更に、冷却塔１等の外側壁面１１１に、上記塔本体部１１の高さに収まるように梯子本体２１を固着すると共に、当該梯子本体２１の上方に、別体の取っ手２３を固定し得るようになしたことを特徴とするものである。
【００１０】
本発明を用いれば、予め、冷却塔１等の塔本体部１１に外梯子２の梯子本体２１だけを取付け、取っ手２３は取外しておいて嵩張らない状態のまま据付け現場まで搬送することができ、且つ、据付け現場において、梯子本体２１の上端に極めて簡単に取っ手２３を嵌合し取付け固定することができるので、冷却塔１等の運搬コスト並びに据付け作業コストの削減効果が得られると共に、取っ手２３に折曲部２３１を形成したことにより作業者の安全確保に寄与するものである。
【００１１】
【実施例】
本発明の冷却塔１等の外梯子２は、図１に展開斜視図で示す如く、管体、好ましくは円管状の手掛け部２１１を有する梯子本体２１と、この梯子本体２１の手掛け部２１１の上端に嵌合する取っ手２３とから構成されるものである。
そして、上記梯子本体２１を冷却塔１等の外側壁面１１１に固着するための固定孔２２１と、上記取っ手２３を接合するための接合孔２２２とを穿孔形成した固定アングル２２を、梯子本体２１の上端外側に、溶接手段により、或いは図示してないがＵボルトを介して固着する。
この際、梯子本体２１の手掛け部２１１の上端が固定アングル２２の上面から突出しないように固着される。
【００１２】
また、上記梯子本体２１の上端外側に固着した固定アングル２２を接合するための接合孔２３３を穿孔形成した接合アングル２３２を、溶接手段により或いは図示してないがＵボルトを用いて、取っ手２３の下部外側に固着する。
接合アングル２３２の接合孔２３３は、固定アングル２２の接合孔２２２に符合する位置に穿孔形成される。
【００１３】
上記取っ手２３は、図１及び図３には円管状梯子本体２１の手掛け部２１１の内径ｄ1に略符合する外径ｄ′2を有するものを示したが、この他、図２に透視側面図で示す如く、取っ手２３の下端部の外径ｄ′2を手掛け部２１１の内径ｄ1に略符合する径寸法に設定すると共に、取っ手２３の下端部を除く部位の外径ｄ′3を手掛け部２１１の外径ｄ2に略符合する径寸法としてもよい。
【００１４】
上述の如く、円管状の手掛け部２１１を有する梯子本体２１に、この手掛け部２１１の内径ｄ1に略符合する外径ｄ′2を有する取っ手２３の下端部を嵌挿すると共に、梯子本体２１の固定アングル２２と取っ手２３の接合アングル２３２間を締結ボルト３を介して締結するのみで、梯子本体２１に取っ手２３を極めて簡単、且つ着脱可能に固定することができる。
【００１５】
また、図１、及び図４に投影図で示す如く、上記取っ手２３はその中間部で外梯子２の外側及び塔側へ折れ曲る折曲部２３１が形成される。
即ち、取っ手２３の中間部より上方部を、外梯子２の外側へ折曲角θ1及び塔側へ折曲角θ2に折り曲げ形成することにより、外梯子２を昇降する作業者にとって安全に出入りし易くなるものである。好ましくは、上記折曲角θ1は１５゜、折曲角θ2は３０゜である。
【００１６】
そして、冷却塔１を据付け現場まで輸送するに際しては、その嵩張りを少なくするために、図５に側面図で示す如く、予め外側壁面１１１に固定アングル２２及び締結ボルト３を介して梯子本体２１を取付けた塔本体部１１と、駆動部１２及び取っ手２３を各々分離した半完成品の状態のまま運び込み、しかる後、図６に側面図で示す如く、塔本体部１１の外側壁面１１１に取付けられている梯子本体２１の固定アングル２２に、接合アングル２３２及び締結ボルト３を介して、取っ手２３を作業者一人で簡単に締結固定することができる。
【００１７】
即ち、本発明を用いれば、予め、冷却塔１等の塔本体部１１に、外梯子２の梯子本体２１だけを塔本体部１１の高さに収まるように取付け、一方の外梯子２の取っ手２３は取外して嵩張らない状態のまま据付け現場まで搬送することができると共に、冷却塔１等の据付け現場においては、梯子本体２１の上端に取っ手２３の下端部を嵌挿すると同時に、塔本体部１１に取付けられている梯子本体２１の固定アングル２２に、取っ手２３の接合アングル２３２を接合して、両者間を簡単且つ確実に締結固定することができるので、冷却塔１の運搬コスト並びに据付け作業コストの削減効果が得られる。
【００１８】
また、使用済み冷却塔１等を解体する際には、外梯子２の固定アングル２２と取っ手２３の接合アングル２３２間を固定している締結ボルト３を取外すのみで、簡単に梯子本体２１から取っ手２３を分離することができ、冷却塔１等の嵩張りを少なくした状態で搬出し輸送することができる。
【００１９】
更に、取っ手２３の中間部より上方部を、外梯子２の外側へ折曲角θ1をもって拡開させると共に、塔側へ折曲角θ2をもって折り曲げ形成することにより、冷却塔１等の点検整備のために外梯子２を昇降する作業者の出入りを容易化すると共に、安全確保に寄与することができるという作用効果も得られる。
【図面の簡単な説明】
【図１】本発明の冷却塔の外梯子を示す展開斜視図である。
【図２】本発明の一実施例であって、梯子本体と取っ手との嵌合形態を示す透視側面図である。
【図３】本発明の他の実施例であって、梯子本体と取っ手との嵌合形態を示す透視側面図である。
【図４】本発明で用いる取っ手の折曲角度を示す投影図である。
【図５】塔本体部に梯子本体を取付けた状態を示す側面図である。
【図６】本発明品を取付けて完成した冷却塔を示す側面図である。
【符号の説明】
１        冷却塔
１１      塔本体部
１１１    外側壁面
１２      駆動部
２        外梯子
２１      梯子本体
２１１    手掛け部
２２      固定アングル
２２１    固定孔
２２２    接合孔
２３      取っ手
２３１    折曲部
２３２    接合アングル
２３３    接合孔
３        締結ボルト
ｄ1      手掛け部の内径
ｄ′1    取っ手の内径
ｄ2      手掛け部の外径
ｄ′2    取っ手の下端部の外径
ｄ′3    取っ手の外径
θ1      外側への折曲角
θ2      塔側への折曲角
【図１】
0003974291.tif 000002
【図２】
0003974291.tif 000003
【図３】
0003974291.tif 000004
【図４】
0003974291.tif 000005
【図５】
0003974291.tif 000006
【図６】
0003974291.tif 000007